(57)【要約】      （修正有）【課題】ユーザがカラオケを利用する目的を、カラオケサービスへのログイン人数により判断することにより、ユーザが所望する歌唱練習の実行可否を設定する楽曲再生装置を提供する。【解決手段】楽曲再生装置へのログイン処理は、リモコン端末を操作し、ログインＩＤとパスワードとを入力することにより実行し、ログイン要求を楽曲再生装置に送信し、楽曲再生装置はサーバへ、ユーザ情報の有無を問い合わせるログイン要求を行う。サーバは、ログインＩＤおよびパスワードが一致する情報が含まれていると判断したとき、ログインを許可を、一致しないときはログインが不可を示すログイン結果を、楽曲再生装置へ送信する。ログイン人数が１人であるとき、楽曲について歌唱を練習させる練習モードを許可し、ログイン人数が１人であると判断されないとき、練習モードを制限する。【選択図】図２
2015152754.tif 000002
【特許請求の範囲】
【請求項１】
ユーザが所望する楽曲についてユーザの歌唱が評価された結果を取得する評価取得手段と、
楽曲を再生するカラオケサービスにログインするログイン人数を取得するログイン取得手段と、
前記ログイン取得手段により取得された前記ログイン人数が１人であるか、１人でなく複数人であるかを判断する人数判断手段と、
前記人数判断手段により前記ログイン人数が１人であると判断されたとき、ユーザが所望する楽曲について歌唱を練習させる練習モードを許可し、前記ログイン人数が１人でないと判断されるとき、前記練習モードを制限するモード制御手段と、
前記モード制御手段により前記練習モードが許可されたとき、ユーザが所望する楽曲について前記評価された結果が所定レベルより低い部分を再生させる再生制御手段と、
を備えることを特徴とする楽曲再生装置。
【請求項２】
ユーザが所望する楽曲に対応付けて、練習モードを設定するか否かを示す設定情報を取得する設定取得手段を備え、
前記モード制御手段は、前記人数判断手段により前記ログイン人数が１人であると判断されたとき、前記練習モードを設定することを示す設定情報が対応付けられた楽曲について、前記練習モードを許可する、
ことを特徴とする請求項１に記載の楽曲再生装置。
【請求項３】
ユーザが所望する楽曲を、所定の順序および規則で再生させる指定を取得する指定取得手段を備え、
前記モード制御手段は、前記人数判断手段により前記ログイン人数が１人でないと判断されるとき、前記練習モードを制限し、前記指定取得手段により取得された指定に従って、ユーザが所望する楽曲を再生する通常モードを設定し、
前記再生制御手段は、前記モード制御手段により前記通常モードが設定されたとき、前記指定取得手段により取得された指定に従って、ユーザが所望する楽曲を再生させ、前記モード制御手段により前記練習モードが許可されたとき、ユーザが所望する楽曲について前記評価された結果が所定レベルより低い部分を再生させる、
ことを特徴とする請求項１または２に記載の楽曲再生装置。
【請求項４】
ユーザが再生を所望する楽曲を示す楽曲情報と、その所望する楽曲の歌唱を練習する練習モードを設定するか否かを示す設定情報とを取得する取得手段と、
楽曲の再生が終了したときに、再生が終了した楽曲について、前記人数判断手段による前記ログイン人数の判断結果と、前記設定情報とに従って、前記練習モードを設定するか否かを判断する設定判断手段を備え、
前記モード制御手段は、前記設定判断手段により前記練習モードが設定されていると判断されたとき、前記練習モードを許可する
ことを特徴とする請求項１〜３のいずれかに記載の楽曲再生装置。
【請求項５】
ユーザが所望する楽曲についてユーザの歌唱が評価された結果を取得する評価取得ステップと、
楽曲を再生するカラオケサービスにログインするログイン人数を取得するログイン取得ステップと、
前記ログイン取得ステップにより取得された前記ログイン人数が１人であるか、１人でなく複数人であるかを判断する人数判断ステップと、
前記人数判断ステップにより前記ログイン人数が１人であると判断されたとき、ユーザが所望する楽曲について歌唱を練習させる練習モードを許可し、前記ログイン人数が１人でないと判断されるとき、前記練習モードを制限するモード制御ステップと、
前記モード制御ステップにより前記練習モードが許可されたとき、ユーザが所望する楽曲について、前記評価された結果が所定レベルより低い部分を再生させる再生制御ステップと、
を備えることを特徴とするプログラム。
【請求項６】
ユーザが所望する楽曲を選択する選択装置と、その選択された楽曲を再生する再生装置とを含む楽曲再生システムであって、
ユーザが所望する楽曲についてユーザの歌唱が評価された結果を取得する評価取得部と、
楽曲を再生するカラオケサービスにログインするログイン人数を取得するログイン取得部と、
前記ログイン取得部により取得された前記ログイン人数が１人であるか、１人でなく複数人であるかを判断する人数判断部と、
前記人数判断部により前記ログイン人数が１人であると判断されたとき、ユーザが所望する楽曲について歌唱を練習させる練習モードを許可し、前記ログイン人数が１人でないと判断されるとき、前記練習モードを制限するモード制御部と、
前記モード制御部により前記練習モードが許可されたとき、ユーザが所望する楽曲について、前記評価された結果が所定レベルより低い部分を前記再生装置に再生させる再生制御部と、
を備えることを特徴とする楽曲再生システム。
【発明の詳細な説明】
【技術分野】
【０００１】
本発明は、カラオケサービスを利用するユーザが１人である場合に、歌唱の練習を容易に行うことを可能にし、ユーザが１人でない場合に、歌唱の練習を制限する楽曲再生装置に関する。
【背景技術】
【０００２】
近年、カラオケを利用するユーザの利用形態は多様化している。例えば、複数人のユーザが１つのカラオケルームで共通にカラオケを楽しむ形態、または、１人のユーザが１つのカラオケルームで単独でカラオケを楽しむ形態がある。このようなユーザの利用形態の多様化に応じて、ユーザへ提供する新たな機能が考案されている。例えば、特許文献１には、カラオケの効果音の機能を提供する技術が記載されている。具体的には、特許文献１に記載の装置は、カラオケシステムにログインしたユーザＩＤにより、カラオケシステムを利用するユーザが、単数であるか複数であるかを判別する。ユーザの人数が単数であるか、複数であるかを判別した結果に基づいて、演奏に対する効果音を出力する処理が異なる。ユーザの人数が単数であるとき、歌唱者の歌唱に対して、効果音の発音データが出力される。ユーザの人数が複数であるとき、歌唱者の歌唱に対して、効果音の表示データが出力される。歌唱者以外のユーザは、表示データを見て、効果音を発音することができる。
【先行技術文献】
【特許文献】
【０００３】
【特許文献１】特開２００８−０７６６７７号公報
【特許文献２】特開２００２−３５１４７７号公報
【発明の概要】
【発明が解決しようとする課題】
【０００４】
前述のように、複数人でカラオケを楽しむ形態と、単独でカラオケを楽しむ形態とがある。ユーザがカラオケを利用する目的は、カラオケの利用人数によって異なるものと考えられる。しかしながら、特許文献１に記載の技術においては、カラオケの利用人数に応じて、カラオケの効果音の出力方法を異ならせることが考慮されているのみであり、カラオケのユーザの利用目的は考慮されていない。
【０００５】
一般に、ユーザが複数人でカラオケを楽しむ形態での利用目的は、ユーザの親睦を目的とするものと考えられ、各ユーザの好みの楽曲が逐次連続して再生される。一方、ユーザが単独でカラオケを利用する形態の利用目的は、他人の目を気にすることなく特定の楽曲の歌唱を練習することを目的とするものと考えられる。歌唱の練習機能に関して種々の技術が提案されている。例えば、特許文献２には、歌唱特訓機能が備えられたカラオケ装置が開示されている。このカラオケ装置では、ユーザがカラオケ装置を操作入力することにより、特訓モードを選択することが可能である。ユーザが操作入力を行い、特訓モードを選択すると、練習した楽曲を特訓モードで再生することができる。しかしながら、ユーザが複数人でカラオケを楽しむ形態での利用目的であるときに、特許文献２に記載された特訓モードなどの練習モードをカラオケ装置で実行すると、歌唱するユーザ以外のユーザにとって迷惑となる場合がある。
【０００６】
本発明は、上述した問題点を解決するためになされたものであり、ユーザがカラオケを利用する目的を、カラオケサービスへのログイン人数により判断することにより、ユーザが所望する歌唱練習の実行可否を容易に設定するカラオケ装置を提供することを目的とする。
【課題を解決するための手段】
【０００７】
請求項１記載の楽曲再生装置は、ユーザが所望する楽曲についてユーザの歌唱が評価された結果を取得する評価取得手段と、楽曲を再生するカラオケサービスにログインするログイン人数を取得するログイン取得手段と、前記ログイン取得手段により取得された前記ログイン人数が１人であるか、１人でなく複数人であるかを判断する人数判断手段と、前記人数判断手段により前記ログイン人数が１人であると判断されたとき、ユーザが所望する楽曲について歌唱を練習させる練習モードを許可し、前記ログイン人数が１人でないと判断されるとき、前記練習モードを制限するモード制御手段と、前記モード制御手段により前記練習モードが許可されたとき、ユーザが所望する楽曲について前記評価された結果が所定レベルより低い部分を再生させる再生制御手段と、を備えることを特徴とする。
【０００８】
請求項２記載の楽曲再生装置は、ユーザが所望する楽曲に対応付けて、練習モードを設定するか否かを示す設定情報を取得する設定取得手段を備え、前記モード制御手段は、前記人数判断手段により前記ログイン人数が１人であると判断されたとき、前記練習モードを設定することを示す設定情報が対応付けられた楽曲について、前記練習モードを許可することを特徴とする。
【０００９】
請求項３記載の楽曲再生装置は、ユーザが所望する楽曲を、所定の順序および規則で再生させる指定を取得する指定取得手段を備え、前記モード制御手段は、前記人数判断手段により前記ログイン人数が１人でないと判断されるとき、前記練習モードを制限し、前記指定取得手段により取得された指定に従って、ユーザが所望する楽曲を再生する通常モードを設定し、前記再生制御手段は、前記モード制御手段により前記通常モードが設定されたとき、前記指定取得手段により取得された指定に従って、ユーザが所望する楽曲を再生させ、前記モード制御手段により前記練習モードが許可されたとき、ユーザが所望する楽曲について前記評価された結果が所定レベルより低い部分を再生させる、ことを特徴とする。
【００１０】
請求項４記載の楽曲再生装置は、ユーザが再生を所望する楽曲を示す楽曲情報と、その所望する楽曲の歌唱を練習する練習モードを設定するか否かを示す設定情報とを取得する取得手段と、楽曲の再生が終了したときに、再生が終了した楽曲について、前記人数判断手段による前記ログイン人数の判断結果と、前記設定情報とに従って、前記練習モードを設定するか否かを判断する設定判断手段を備え、前記モード制御手段は、前記設定判断手段により前記練習モードが設定されていると判断されたとき、前記練習モードを許可することを特徴とする。
【００１１】
請求項５記載のプログラムは、ユーザが所望する楽曲についてユーザの歌唱が評価された結果を取得する評価取得ステップと、楽曲を再生するカラオケサービスにログインするログイン人数を取得するログイン取得ステップと、前記ログイン取得ステップにより取得された前記ログイン人数が１人であるか、１人でなく複数人であるかを判断する人数判断ステップと、前記人数判断ステップにより前記ログイン人数が１人であると判断されたとき、ユーザが所望する楽曲について歌唱を練習させる練習モードを許可し、前記ログイン人数が１人でないと判断されるとき、前記練習モードを制限するモード制御ステップと、前記モード制御ステップにより前記練習モードが許可されたとき、ユーザが所望する楽曲について、前記評価された結果が所定レベルより低い部分を再生させる再生制御ステップと、を備えることを特徴とする。
【００１２】
請求項６記載の楽曲再生システムは、ユーザが所望する楽曲を選択する選択装置と、その選択された楽曲を再生する再生装置とを含む楽曲再生システムであって、ユーザが所望する楽曲についてユーザの歌唱が評価された結果を取得する評価取得部と、楽曲を再生するカラオケサービスにログインするログイン人数を取得するログイン取得部と、前記ログイン取得部により取得された前記ログイン人数が１人であるか、１人でなく複数人であるかを判断する人数判断部と、前記人数判断部により前記ログイン人数が１人であると判断されたとき、ユーザが所望する楽曲について歌唱を練習させる練習モードを許可し、前記ログイン人数が１人でないと判断されるとき、前記練習モードを制限するモード制御部と、前記モード制御部により前記練習モードが許可されたとき、ユーザが所望する楽曲について、前記評価された結果が所定レベルより低い部分を前記再生装置に再生させる再生制御部と、を備えることを特徴とする。
【発明の効果】
【００１３】
請求項１記載の楽曲再生装置、請求項５記載のプログラム、および請求項６記載の楽曲再生システムによれば、ログイン人数が１人であると判断されるときに、練習モードが許可され、ログイン人数が１人であると判断されないときに、練習モードが制限される。カラオケ装置を利用するユーザが、ログインユーザ１人であるときは、カラオケ装置を同時に利用するユーザが１人であることが考えられる。そのため、ユーザは、カラオケ楽曲の歌唱を練習しても、他の人に迷惑がかかることがない。楽曲再生装置を利用するユーザが、ログインユーザ１人であるときは、練習モードの許可がされることより、カラオケ楽曲の歌唱の練習を容易に行うことができる。ログインユーザ１人であると判断されないときは、楽曲再生装置を同時に利用するユーザが複数人存在することが考えられる。練習モードによりユーザが歌唱の練習を行うことが制限されることにより、楽曲再生装置を同時に利用する複数のユーザがカラオケ楽曲の歌唱を楽しむことができる。
【００１４】
ユーザごとに、歌唱を得意とする楽曲と、歌唱を不得意とする楽曲とが、異なることが考えられる。請求項２記載の楽曲再生装置によれば、練習モードを設定するか否かが、設定情報により楽曲と対応付けて設定される。これにより、ユーザは、ログイン人数が１人であると判断され、設定情報により練習モードが設定された場合、練習モードが許可される。ユーザは、練習モードを実行して歌唱の練習を行う楽曲を、容易に設定することができる。
【００１５】
請求項３記載の楽曲再生装置によれば、練習モードが制限されるとき、通常モードが設定され、ユーザが所望する楽曲が再生指示にしたがって再生される。練習モードが許可されるとき、評価結果が所定のレベルより低い部分が再生される。これにより、通常モードでは、ユーザは、所望する楽曲を、指示した設定に従って歌唱することができる。練習モードでは、ユーザは、所望する楽曲の評価が低い部分について、歌唱を練習することができる。
【００１６】
請求項４記載の楽曲再生装置によれば、練習モードが設定された楽曲について、楽曲の再生が終了したときに、ログイン人数と、練習モードを設定するか否かの設定情報とに従って、練習モードが設定される。楽曲の再生が終了したときに、練習モードが設定されているときは、直前に再生され、ユーザが歌唱した楽曲について、続けて歌唱の練習を行うことができる。そのため、ユーザは効率よく歌唱の練習を行うことができる。
【図面の簡単な説明】
【００１７】
【図１】本実施形態の楽曲再生システム１００の全体構成の電気ブロック図である。
【図２】楽曲再生システム１００のカラオケ装置１と、リモコン端末３と、サーバ５との間のデータの流れを示す概略図である。
【図３】カラオケ装置１の楽曲再生処理における練習モード再生設定の判断条件を示す条件対応表である。
【図４】カラオケ装置１により実行される楽曲再生処理の流れを示すフローチャートである。
【図５】リモコン端末３のディスプレイ３５の表示画面の表示例を示す図である。
【発明を実施するための形態】
【００１８】
以下、本発明の一実施形態である楽曲再生システムについて説明する。図１は、楽曲再生システム１００の全体構成を説明する図である。楽曲再生システム１００は、楽曲再生装置１１０と、サーバ５とを備える。楽曲再生装置１１０は、カラオケ装置１と、リモコン端末３とを含んで構成される。カラオケ装置１は、カラオケ楽曲を再生する。リモコン装置３は、カラオケ装置１にカラオケ楽曲の再生を指示する。楽曲再生システム１００を利用するユーザは、リモコン装置３により、カラオケサービスへログインすると、ユーザのログイン情報を用いて、カラオケ装置１へカラオケ楽曲の再生を指示することができる。サーバ５は、カラオケ装置１により再生されるカラオケ楽曲と、ユーザのログイン情報とを記憶する。
【００１９】
図１を用いて、本実施形態の楽曲再生システム１００の構成を説明する。図１に示すように、楽曲再生システム１００は、カラオケ装置１と、リモコン端末３と、サーバ５とを備える。カラオケ装置１と、リモコン端末３とは、例えば、カラオケ店舗の各部屋に配置される。カラオケ装置１には、少なくとも一台のリモコン装置３が対応付けられている。リモコン端末３は、赤外線信号によりカラオケ装置１に指令を送る装置である。カラオケ装置１は、ブロードバンドルータＢＲを経由して、ネットワークに接続される。リモコン端末３は、アクセスポイントＡＰを介して、ブロードバンドルータＢＲを経由して、ネットワークに接続される。
【００２０】
リモコン端末３は、ユーザにより操作される操作部３５を有する。操作部３５が操作されることで、所定の操作信号が、リモコン端末３からカラオケ装置１に送信される。例えば、リモコン端末３の操作部３５を操作することにより、カラオケ楽曲の再生が予約される。リモコン端末３から、予約されたカラオケ楽曲の曲番を示す操作信号が、カラオケ装置１に送信される。カラオケ装置１と、サーバ５とは、ネットワークを介して接続される。カラオケ装置１は、リモコン端末３から受信する操作信号が示すカラオケ楽曲を、サーバ５から取得する。カラオケ装置１は、サーバ５から取得したカラオケ楽曲を、予約楽曲として記憶部１３に記憶する。カラオケ装置１では、記憶された予約楽曲が再生される。
【００２１】
［カラオケ装置の構成］
カラオケ装置１は、制御部１１を備える。制御部１１は、ＣＰＵと、ＲＡＭと、ＲＯＭとを含んでいる。制御部１１のＲＯＭは、カラオケ楽曲の楽曲再生プログラムを記憶する。制御部１１は、ＬＡＮインタフェース部１２と、記憶部１３と、赤外線受信部１５と、操作処理部１６と、シンセサイザ１７と、ビデオＲＡＭ２１と、映像再生部２２とに接続される。操作処理部１６には、操作部１４が接続される。シンセサイザ１７は、ミキシングアンプ２０と接続される。ミキシングアンプ２０は、マイク制御部１８と、スピーカ１９とに接続される。マイク制御部１８に入力された音声信号が、ミキシングアンプ２０を介して、スピーカ１９により出力される。映像再生部２２は、ビデオＲＡＭ２１と、映像制御部２３とに接続される。映像制御部２３は、制御部１１と、ディスプレイ２５とに接続される。映像制御部２３は、制御部１１と、映像再生部２２とから受信した映像信号を、ディスプレイ２５に出力させる。
【００２２】
記憶部１３は、楽曲記憶領域１３１と、評価情報記憶領域１３２と、歌詞テロップ記憶領域１３３とを備える。楽曲情報記憶領域１３１は、サーバ５から取得したカラオケ楽曲の楽曲情報を記憶する。評価情報記憶領域１３２は、楽曲再生装置１により再生されたカラオケ楽曲について行われた歌唱が評価された結果を記憶する。評価情報記憶領域１３２には、後述するログインユーザが、過去に歌唱した結果を示す歌唱履歴が存在する場合には、サーバ５から取得された歌唱履歴を記憶する。歌詞テロップ記憶領域１３３は、楽曲情報記憶領域１３１に楽曲情報が記憶されたカラオケ楽曲の歌詞情報を記憶する。制御部１１と映像制御部２３とは、歌詞情報にしたがって、ディスプレイ２５にカラオケ楽曲の歌詞を出力する。
【００２３】
［リモコン端末の構成］
リモコン端末３は、制御部３１を備える。制御部３１は、ＣＰＵ、ＲＡＭ、ＲＯＭを含んでいる。制御部３１は、赤外線送信部３２と、記憶部３３と、操作処理部３６と、ビデオＲＡＭ３７と、映像制御部３８と、無線ＬＡＮ通信部３９とに接続される。操作部３５が、操作処理部３６に接続される。ディスプレイ３４が、映像制御部３８に接続される。ディスプレイ３４は、映像制御部３８から映像信号を受信し、出力する。
【００２４】
記憶部３３は、予約情報記憶領域３３１と、ログイン情報記憶領域３３２とを備える。予約情報記憶領域３３１は、リモコン端末３の操作部３５によって操作されたことによるカラオケ楽曲の再生予約を記憶する。リモコン端末３は、カラオケ楽曲が予約されると、予約されたカラオケ楽曲をカラオケ装置１へ通知する。ログイン情報記憶領域３３２は、リモコン端末３が操作されてログイン処理が行われたユーザの情報を、ログイン情報として記憶する。
【００２５】
［サーバの構成］
サーバ５は、制御部５１と、ＬＡＮインタフェース部５２と、記憶部５３とを備える。サーバ５としては、例えば、一般的なコンピュータが用いられる。サーバ５は、ＬＡＮインタフェース部５２を介してネットワークに接続され、ブロードバンドルータを介して、カラオケ装置１と通信可能である。制御部５１は、ＣＰＵと、ＲＡＭと、ＲＯＭとを含んでいる。記憶部５３は、楽曲情報記憶領域５３１と、ユーザ情報記憶領域５３２とを備える。楽曲情報記憶領域５３１は、カラオケ楽曲の楽曲情報を記憶する。楽曲情報は、カラオケ楽曲の楽曲番号と対応付けて記憶される。ユーザ情報記憶領域５３２は、カラオケサービスを利用する登録ログインユーザのログインＩＤと、パスワードと、ログインＩＤが示すユーザの歌唱履歴とを、ユーザ情報として記憶する。登録ログインユーザの詳細は後述する。
【００２６】
［リモコン端末のログイン処理］
図２は、カラオケ装置１により実行されるログイン処理におけるデータの流れを説明する図である。ログイン処理は、リモコン端末３から、カラオケ装置１を介してユーザのログインＩＤが送信されることにより実行される。ログイン処理が行われると、サーバ５から、カラオケ装置１を介してリモコン端末３へ、登録ログインユーザのユーザ情報と関連する楽曲情報が送信される。
【００２７】
図２を用いてログイン処理を詳細に説明する。カラオケサービスへのログイン処理は、リモコン端末３を操作し、ログインＩＤとパスワードとを入力することにより実行される。図２に示すように、リモコン端末３は、ユーザにより操作されたログインＩＤとパスワードとを取得する。リモコン端末３において取得されたログインＩＤと、パスワードとは、ログイン要求としてカラオケ装置１に送信される。カラオケ装置１は、受信したログインＩＤとパスワードとを、サーバ５へ送信し、ユーザ情報の有無を問い合わせるログイン要求を行う。
【００２８】
サーバ５は、ログイン要求を受信すると、ユーザ情報記憶領域５３２に記憶されたユーザ情報に、該当するログインＩＤおよびパスワードが一致する情報が含まれているか否かを判断する。サーバ５は、判断結果に応じて、ログイン結果を、カラオケ装置１へ送信する。サーバ５は、ログインＩＤおよびパスワードが一致する情報が含まれていると判断したとき、ログインを許可したことを示すログイン結果を、カラオケ装置１へ送信する。サーバ５は、ログインＩＤおよびパスワードが一致する情報が含まれていないと判断したとき、ログインが不可であることを示すログイン結果を、カラオケ装置１へ送信する。カラオケ装置１は、送信されたログイン結果を、リモコン端末３へ通知する。本実施形態では、ログインを許可したことを示すログイン結果が通知されたユーザを、登録ログインユーザとする。
【００２９】
リモコン端末３は、カラオケ装置１から通知されたログイン結果に従って、ログインが許可されたとき、サーバ５へ、登録ログインユーザの歌唱情報として、歌唱履歴と、練習モード再生設定情報との取得を要求する。歌唱履歴としては、登録ログインユーザが過去に歌唱した楽曲と、楽曲の歌唱が評価された評価結果とが取得される。練習モード再生設定情報としては、後述する練習モード再生の実行を希望するか否かを示す情報が取得される。サーバ５は、要求された登録ログインユーザの歌唱情報を、ユーザ情報記憶領域５３２に記憶されたユーザ情報から、ログインＩＤに従って抽出する。サーバ５は、抽出した登録ログインユーザの歌唱履歴を、要求されたリモコン端末３へ送信する。リモコン端末３は、取得した歌唱情報を、ログインＩＤと対応付けてログイン情報記憶領域３３２に記憶する。
【００３０】
ユーザは、リモコン端末３を用いて、カラオケ楽曲の再生を指定することができる。ユーザは、再生を希望するカラオケ楽曲の楽曲番号を、リモコン端末３により指定する。リモコン端末３は、指定された楽曲番号と、その楽曲番号を指定したユーザのユーザ情報とを対応づけて、カラオケ装置１へ送信する。ユーザが、カラオケサービスにユーザ情報を登録していない場合は、リモコン端末３は、指定された楽曲番号と、ユーザがユーザ情報を登録していないゲストユーザであることを示すゲスト情報とを対応付けて、カラオケ装置１へ送信する。本実施形態において、カラオケサービスにユーザ情報を登録していないユーザは、ゲストユーザとしてログインしたゲストログインユーザとする。本実施形態では、登録ログインユーザと、ゲストログインユーザとを総じて、ログインユーザとする。
【００３１】
リモコン端末３は、ユーザにより操作されて指定されたカラオケ楽曲について、カラオケ装置１へ再生を指示する。カラオケ装置１は、リモコン端末３からの再生指示にしたがって、楽曲再生処理を実行する。カラオケ装置１は、楽曲再生処理を実行するとき、練習モード再生の確認として、再生が指示されたカラオケ楽曲に対応付けられたログインＩＤに従って、そのログインＩＤが示すユーザが、後述する練習モード再生の実行を希望している否かをリモコン端末３へ問い合わせる。リモコン端末３は、カラオケ装置１から問い合わせされたログインＩＤについて、ログイン情報記憶領域３３２に記憶された歌唱情報に含まれる練習モード再生を実行するか否かを示す情報を、カラオケ装置１へ送信する。カラオケ装置１は、リモコン端末３から受信した情報に従って、楽曲再生処理を実行する。
【００３２】
［練習モード再生の設定］
本実施形態のカラオケ装置１では、通常モード再生と、練習モード再生との２種類の再生方法によるカラオケ楽曲の再生が可能である。通常モード再生は、カラオケ楽曲を、リモコン端末３により指示された予約の設定に従って再生する再生方法である。練習モード再生は、カラオケ楽曲の特定部分を重点的に再生する再生方法である。通常モード再生では、リモコン端末３により予約が指示されたカラオケ楽曲について、リモコン端末３により指定された再生規則にしたがって、カラオケ楽曲が１回再生される。再生規則は、例えば、予約時に、リモコン端末３により、再生するカラオケ楽曲を示す楽曲番号とともに指定された、再生するカラオケ楽曲を再生する速度や、再生する音程の高さである。また、リモコン端末３により再生が予約されるとき、再生規則として、楽曲番号を指定するカラオケ楽曲のうち、特定の一部分を再生させる指定がされてもよい。
【００３３】
通常モード再生では、リモコン端末３により、カラオケ楽曲の楽曲番号とともにカラオケ楽曲の一部パートを再生される指定がされた場合は、通常モード再生において、カラオケ楽曲の一部分が１回再生される。練習モード再生では、楽曲番号により指定されたカラオケ楽曲について、後述する歌唱評価がされた結果にしたがって、カラオケ楽曲のうち、歌唱評価の結果が悪かった部分が再生される。練習モード再生では、歌唱評価が悪かった部分が、予め定められた設定にしたがって、１回または複数回繰り返して再生される。
【００３４】
本実施形態のカラオケシステムにおいて、練習モード再生を実行するか否かは、図３に示すユーザまたは曲に対応付けて、ユーザにより付与れた練習モード再生設定の有無に応じて、設定条件Ａ〜Ｈのいずれかが判断される。練習モード再生設定は、カラオケサービスにユーザ情報を登録した登録ログインユーザごと、または、リモコン端末３により再生が予約されるカラオケ楽曲ごとに設定される。
【００３５】
練習モード再生設定が、登録ログインユーザごとに設定される場合は、練習モード再生設定の有無が、登録ログインユーザのユーザ情報に含んで設定される。例えば、登録ログインユーザは、リモコン端末３により、カラオケシステムに利用登録を行い、ユーザ情報を設定する。このとき、設定するユーザ情報に、カラオケシステムの利用時にカラオケ楽曲の歌唱の練習を希望するか否かを示す意思を、練習モード再生設定の有無として、設定する。カラオケ楽曲の練習を希望するか否かを示す意思は、リモコン端末３の他、サーバ５とネットワークにより接続された携帯端末により、設定されてもよい。練習モード再生設定の有無が設定されたユーザ情報は、リモコン端末３から、サーバ５へ送信される。カラオケ装置１は、サーバ５からログイン結果を受信するとき、カラオケ楽曲の歌唱の練習を希望するか否かを示す意思を、ユーザ情報として、サーバ５から受信する。
【００３６】
練習モード再生設定が、リモコン端末３により再生が予約されるカラオケ楽曲ごとに設定される場合は、練習モード再生設定の有無が、カラオケ端末３により、再生が予約されたカラオケ楽曲の楽曲番号と対応付けて設定される。具体的には、ユーザは、リモコン端末３により、再生を予約するカラオケ楽曲を指定する。このとき、ユーザは、リモコン端末３に、予約したカラオケ楽曲について、歌唱の練習を希望するか否かを示す意思を、練習モード再生設定として設定する。例えば、ユーザは、カラオケ楽曲を予約するとき、予約されるカラオケ楽曲の楽曲番号とともに、その楽曲について、歌唱の練習を希望するか否かを示す練習モード再生設定の有無を、リモコン端末３により指定する。設定された楽曲情報と、練習モード再生設定の有無とが対応付けられた情報は、記憶部３３の予約情報記憶領域３３１に一時記憶される。リモコン端末３は、予約情報記憶領域３３１に記憶されたカラオケ楽曲の楽曲番号と、練習モード再生設定の有無とを対応付けて、カラオケ楽曲の再生予約指示として、カラオケ装置１に送信する。
【００３７】
本実施形態のカラオケシステムにおける練習モード再生の詳細を説明する。練習モード再生とは、具体的には、ユーザが、過去に一回歌唱し、歌唱結果が評価された履歴が、ユーザ情報と対応付けられているカラオケ楽曲について、評価の結果が悪い部分を、フレーズ単位で抽出し、抽出されたフレーズのみを再生する再生方法である。本実施形態では、直前に歌唱されたカラオケ楽曲について、ユーザによるカラオケ楽曲の歌唱結果を評価し、評価の結果が悪い部分のフレーズが１回再生される。
【００３８】
本実施形態では、楽曲再生プログラムに従って実行される後述の図４に示す楽曲再生処理において、練習モード再生を実行するか否かが判断される。楽曲再生処理の詳細は、後述により説明する。練習モード再生の実行可否は、直前の処理により、楽曲再生装置１１０を利用するユーザが、１人の登録ログインユーザのみであると判断されたときに、その登録ログインユーザが、カラオケ楽曲の練習を希望しているか否かを判断することにより、判断される。一方、楽曲再生装置１１０を利用するユーザが、２人以上のログインユーザであるときは、練習モード再生の実行可否を判断せず、通常モード再生でのカラオケ楽曲の再生を行う処理へ戻る。２人以上のログインユーザであるとは、登録ログインユーザが、２人以上存在する、または登録ログインユーザとログインをしていないゲストユーザとが計２人以上存在するときである。
【００３９】
図３を用いて、練習モード再生の実行可否を判断する条件を説明する。図３は、ユーザ情報の歌唱情報に含まれるカラオケ楽曲の歌唱の練習を希望する意思を示すユーザ情報意思情報と、リモコン端末３により再生が予約されたカラオケ楽曲に対応付けられた、歌唱の練習を希望する意思を示す予約楽曲意思情報との組み合わせにより、練習モード再生を実行するか否かを判断する判断条件を、設定条件Ａ〜Ｈにより示す一覧表である。
【００４０】
ユーザ情報意思情報と、予約楽曲意思情報とが異なる場合は、予約楽曲意思情報に設定されている意思が優先して判断される。また、ユーザ情報意思情報と、予約楽曲意思情報とのいずれか一方のみに、意思が設定されている場合は、その一方のみに設定されている意思が優先して判断される。
【００４１】
［カラオケ楽曲の再生］
カラオケ装置１では、制御部１１のＣＰＵが、ＲＯＭに記憶された楽曲再生プログラムに従って、楽曲再生処理を実行する。楽曲の再生は、リモコン端末３の予約情報記憶領域３３１に記憶された予約情報に従って、実行される。
【００４２】
図４は、カラオケ装置１により実行される楽曲再生処理の処理手順を示すフローチャートである。楽曲再生処理は、カラオケ装置１の電源がＯＮになったときに、開始される。楽曲再生処理が開始されると、ステップＳ１０２〜ステップＳ１４４の処理が実行される。
【００４３】
ステップＳ１０２では、リモコン端末３にログインＩＤおよびパスワードが入力されたか否かが判断される。ステップＳ１０２の処理では、リモコン端末３から、ログインＩＤおよびパスワードを受信したとき、入力されたと判断される（Ｓ１０２：ＹＥＳ）。リモコン端末３から、ログインＩＤおよびパスワードを受信していないとき、入力されていないと判断され（Ｓ１０２：ＮＯ）、ステップＳ１１２の処理が実行される。
【００４４】
ステップＳ１０４では、リモコン端末３から受信したログインＩＤおよびパスワードを、サーバ５へ送信する。ステップＳ１０６では、ステップＳ１０４において送信したログインＩＤおよびパスワードに一致するユーザ情報を、サーバ５から、ログイン情報として取得する。ステップ１０６では、サーバ５が、送信されたログインＩＤおよびパスワードに一致するユーザ情報を記憶していないとき、カラオケ装置１は、サーバ５から、該当するログインユーザがいないことを示すエラーメッセージを受信することも可能である。このとき、リモコン端末３により、ユーザにログインＩＤおよびパスワードを入力させる操作を促し、ステップ１０４の処理を再度実行させる。ステップＳ１０６において、サーバ５からユーザ情報を取得する処理が行われたとき、ステップＳ１０７の処理が実行される。
【００４５】
ステップＳ１０７では、サーバ５から取得したユーザ情報が、リモコン端末３へ送信される。ステップＳ１０８において、サーバ５から、ユーザ情報が示すログインユーザの歌唱履歴を取得する処理が行われる。ステップＳ１１０では、サーバ５から取得されたログインユーザの歌唱履歴が、記憶部１３の評価情報記憶領域１２に記憶される。
【００４６】
ステップＳ１１２では、リモコン端末３により、カラオケ楽曲の再生を予約する指示がされているか否かが判断される。カラオケ楽曲の再生予約の指示があると判断されると（ステップＳ１１２：ＹＥＳ）、ステップＳ１１４が実行される。カラオケ楽曲の再生予約の指示があると判断されないと（ステップＳ１１２：ＮＯ）、ステップＳ１０２が実行される。
【００４７】
ステップＳ１１４では、ステップＳ１１２において予約がされていると判断されたカラオケ楽曲を再生する指示がされる。ステップＳ１１６では、ステップＳ１１４において再生が指示されたカラオケ楽曲が終了されているか否かが判断される。カラオケ楽曲が終了されていると判断されると（ステップＳ１１６：ＹＥＳ）、ステップＳ１１８が実行される。カラオケ楽曲が終了されていると判断されないと（ステップＳ１１６：ＮＯ）、ステップＳ１１６の判断が繰り返される。
【００４８】
ステップＳ１１８では、ステップＳ１１４において指示された楽曲の再生に合わせて歌唱されたユーザの歌唱結果が評価される。評価方法としては、例えば、ユーザが歌唱した音程が、楽曲に対応付けられた基準の歌唱音程に対して、所定範囲内の音程であるか否かを評価する方法である。ステップＳ１１８では、ユーザの歌唱は、例えば、楽曲のフレーズごとに評価される。ユーザが歌唱した楽曲のフレーズごとに、基準の歌唱音程から所定範囲を超えていると判断されると、練習が必要なフレーズとして、評価が低く判断される。
【００４９】
ステップＳ１２０では、ステップＳ１１８においてユーザの歌唱が評価された結果が、評価情報記憶領域１３２に記憶される。
【００５０】
ステップＳ１２２では、カラオケ装置１を利用するユーザが、ログインユーザ１人であるか否かが判断される。ステップＳ１１４において再生が指示された楽曲を予約したユーザがユーザ情報をカラオケサービスに登録している登録ログインユーザであって、再生予約がされた楽曲を予約したユーザが、ログインユーザ１人であるとき、カラオケ装置１を利用するユーザが、１人のログインユーザであると判断される。ユーザが、１人のログインユーザであると判断されると（Ｓ１２２：ＹＥＳ）、ステップＳ１２４の処理が実行される。１人のログインユーザであると判断されないと（Ｓ１２２：ＮＯ）、ステップＳ１４２の処理が実行される。１人のログインユーザであると判断されないときとは、例えば、カラオケ装置１に再生が予約されているカラオケ楽曲を予約したユーザとして、ユーザ情報をカラオケサービスに登録している登録ログインユーザと、ユーザ情報をカラオケサービスに登録してないゲストユーザとが含まれる場合である。カラオケ装置１に再生が予約されているカラオケ楽曲を予約したユーザとして、ユーザ情報をカラオケサービスに登録している登録ログインユーザが２人存在する場合もまた、１人のログインユーザであると判断されない。また、本実施形態では、カラオケ装置１に再生が予約されているカラオケ楽曲を予約したユーザが、ユーザ情報をカラオケサービスに登録してないゲストユーザである場合は、ゲストユーザが実際は何人であるかを判別不可能であるため、１人のログインユーザであると判断されない。
【００５１】
ステップＳ１２４では、ステップＳ１２２においてログインユーザが１人であると判断されたログインユーザが、練習モード再生を設定しているか否かを判断する。ユーザは、ユーザ情報に対応付けて、カラオケ楽曲の練習を希望することを示す練習モード再生の設定が可能である。ユーザは、練習モード再生の実行を希望するか否かを、ユーザ情報に対応付けて設定する。カラオケ楽曲ごとに、練習モード再生を希望するか否かを設定してもよい。具体的には、ステップＳ１２４では、１人であると判断された登録ログインユーザのユーザ情報に、練習モード再生の設定がされているか否かが判断される。または、ステップＳ１１２において予約指示がありと判断され、ステップＳ１１４において再生指示されたカラオケ楽曲について、練習モード再生の設定がされているか否かが判断される。登録ログインユーザのユーザ情報と、再生指示されたカラオケ楽曲との少なくともいずれかに、練習モード再生の設定がされているとき、練習モード再生の設定がされていると判断される。練習モード再生の設定がされていると判断されると（ステップＳ１２４：ＹＥＳ）、ステップＳ１２８の処理が実行される。練習モード再生の設定がされていると判断されないとき（ステップＳ１２４：ＮＯ）、ステップＳ１２６の処理が実行される。
【００５２】
ステップＳ１２６では、リモコン端末３のディスプレイ３４に、図５（Ａ）に示すように、練習モード再生を実行することを確認する表示をさせる。リモコン端末３のディスプレイ３４に、練習モード再生を実行することを確認する画面が表示されたとき、ユーザは、表示を確認し、練習モード再生の実行を確認する指示を、操作部３５により行う。ステップＳ１２４において、練習モード再生の設定がされていると判断され、ステップＳ１２６において、練習モード再生の実行が確認された場合であっても、ユーザは、練習モード再生の実行を拒否したいとき、ディスプレイ３４の表示を確認し、練習モード再生の実行を拒否する指示が、操作部３５により指示される。また、ステップＳ１２８では、リモコン端末３のディスプレイ３４に、図５（Ｂ）に示すように、練習モード再生を実行するか否かを、ユーザに判断させる画面を表示させる。ユーザは、表示を見て、練習モード再生を実行するか否かを判断する。ユーザは、練習モード再生を実行するか否かの判断を、操作部３５により指示する。ステップＳ１２８の処理が実行されたときは、続けてステップＳ１３０の処理が実行される。
【００５３】
ステップＳ１３０では、リモコン端末３から、ユーザにより指示された練習モード再生を実行するか否かの結果が、送信されたか否かが判断される。練習モード再生を実行するか否かの結果を受信したとき、リモコン端末３から結果が送信されたと判断され（ステップＳ１３０：ＹＥＳ）、ステップＳ１３２の処理が実行される。練習モード再生を実行するか否かの結果を受信しないとき、リモコン端末３から結果が送信されたと判断されず（ステップＳ１３０：ＮＯ）、ステップＳ１３２の処理が繰り返し実行される。
【００５４】
ステップＳ１３２では、練習モード再生を実行する指示がされたか否かが判断される。練習モード再生を実行する指示がされたと判断されると（ステップＳ１３２：ＹＥＳ）、ステップＳ１３４の処理が実行される。ステップＳ１３０において、リモコン端末３から、練習モード再生を実行しないという結果が送信されたとき、練習モード再生を実行する指示がされたと判断されず（ステップＳ１３２：ＮＯ）、ステップＳ１１２の処理が実行される。
【００５５】
ステップＳ１３４では、ステップＳ１２０において記憶されたカラオケ楽曲の評価結果が、記憶部１３の評価情報記憶領域１３２から読み出される。読み出された評価結果から、評価が低い区間が抽出される。カラオケ楽曲をユーザが歌唱した音程が評価された結果について、ユーザが歌唱した音程が、楽曲に対応付けられた基準の歌唱音程に対して、１度以上の音程差があると評価された音が、定められた区間ごとに５割以下であるとき、その区間が、合格レベルと評価される。合格レベルに満たない区間は、評価が低い区間として抽出される。抽出される区間とは、例えば、カラオケ楽曲のフレーズごと、あるいは、Ａメロ、Ｂメロ、サビなどのメロディ構成部分ごとである。
【００５６】
ステップＳ１３６では、ステップＳ１３４において抽出された評価が低い区間を再生する指示がされる。再生指示に応じて、練習モード再生として、カラオケ楽曲の評価が低い区間が再生され、ログインユーザに歌唱させる。
【００５７】
ステップＳ１４０では、練習モード再生が終了したか否かが判断される。練習モード再生が終了したとは、再生されたカラオケ楽曲について、評価が低い区間の再生がすべて終了したことである。例えば、カラオケ楽曲に、評価が低い区間が複数存在するとき、評価が低い複数の区間すべての再生が終了したか否かが判断される。練習モード再生として、評価が低い区間ごとに、それぞれ複数回の再生が規定されている場合は、評価が低い区間すべてにおいて、規定された回数の再生が終了したか否かが判断される。練習モード再生が終了したと判断されたとき（ステップＳ１４０：ＹＥＳ）、ステップＳ１４２の処理が実行される。練習モード再生が終了したと判断されないとき（ステップＳ１４０：ＮＯ）、ステップＳ１３６およびステップＳ１４０の処理が繰り返し実行される。
【００５８】
ステップＳ１４２では、新たに再生するカラオケ楽曲が、リモコン端末３により予約されているか否かが判断される。リモコン端末３により、新たに再生するカラオケ楽曲が予約されていると判断されたとき（ステップＳ１４２：ＹＥＳ）、ステップＳ１４４の処理が実行される。リモコン端末３により、新たに再生するカラオケ楽曲が予約されていると判断されないとき（ステップＳ１４２：ＮＯ）、ステップＳ１１４の処理が繰り返される。
【００５９】
ステップＳ１４４では、カラオケ装置１またはリモコン端末３により、楽曲再生処理を終了する指示がされたか否かが判断される。例えば、カラオケ装置１またはリモコン端末３において、電源をオフにする指示や、ユーザが、カラオケシステムの利用を終了し、楽曲再生装置１１０が設置された部屋から退出する指示が行われた場合に、楽曲再生処理を終了する指示がされたことが判断される。楽曲再生処理を終了する指示がされたと判断されたとき（ステップＳ１４４：ＹＥＳ）、楽曲再生処理が終了される。楽曲再生処理を終了する指示がされたと判断されないとき（ステップＳ１４４：ＮＯ）、ステップＳ１０２の処理が繰り返し実行される。
【００６０】
本実施形態において、ステップＳ１２４において練習モード再生の設定がされているか否かに関わらず、ステップＳ１２６およびステップＳ１２８の処理において、リモコン端末３のディスプレイに練習モード再生を実行するか否かを確認する画面を表示させていたが、これに限らない。練習モード再生が設定されていると判断されたとき（ステップＳ１２４：ＹＥＳ）は、ステップＳ１２６のリモコン端末３のディスプレイに確認する画面を表示する処理は行わず、ステップＳ１３２の練習モード再生の実行を指示するか否かを判断する処理が行われてもよい。さらに、練習モード再生が設定されていると判断されたとき（ステップＳ１２４：ＹＥＳ）は、ステップＳ１３２の練習モード再生の実行を指示するか否かを判断せず、練習モード再生の実行が指示されてもよい。
【００６１】
本実施形態において、練習モード再生が実行されるときは、直前に再生が指示されたカラオケ楽曲について、練習モード再生が実行されていた。練習モード再生により再生するカラオケ楽曲は、直前に再生が指示されたカラオケ楽曲に限らない。例えば、ログインユーザのユーザ情報と対応付けて、過去に歌唱されたカラオケ楽曲についての歌唱評価の結果が記憶されている場合は、ログインユーザによりリモコン端末３を用いて行われるカラオケ楽曲の再生指示に関わらず、歌唱評価の結果が記憶されているカラオケ楽曲について、練習モード再生による再生が実行されてもよい。または、練習モード再生により再生する楽曲は、ユーザが所望する楽曲を歌唱するために、所定の音について発声練習を行う楽曲であってもよい。
【００６２】
練習モード再生の設定は、カラオケサービスにユーザ情報を登録したログインユーザのユーザ情報と、リモコン端末３により行われるカラオケ楽曲の再生の予約とに必ずしも対応付けて付与されていなくてもよい。ユーザ情報または予約されたカラオケ楽曲に、練習モード再生設定の有無が設定されていない場合は、練習モード再生設定がされていないと判断する。
【００６３】
本実施形態において、ステップＳ１２２の処理により、ログインユーザが、１人であると判断されないとき、ステップＳ１２４の練習モード再生が設定されているか否かを判断せず、カラオケ楽曲を予約された規則に従って再生する通常再生の処理が実行される。これにより、ログインユーザが、１人であると判断されないときは、練習モード再生の実行が禁止されていた。しかしながら、ログインユーザが、１人であると判断されない場合であっても、ステップＳ１２２において、複数のログインユーザが、練習モード再生を希望する登録ログインユーザのみで構成されていると判断される場合は、練習モード再生を希望する複数の登録ログインユーザをまとめて１種類のログインユーザのみであるとして、練習モード再生の実行を許可する処理を行ってもよい。これにより、通常、ログインユーザが、１人であると判断されない場合に、練習モード再生の実行が制限される場合であっても、カラオケシステムを共通に利用する登録ログインユーザの全員が、練習モード再生の実行を希望するとき、練習モード再生の実行を行うことが可能である。
【００６４】
［本発明と実施形態との対応］
本実施形態におけるカラオケ装置１の制御部１１により実行される楽曲再生処理のステップＳ１１０、またはステップＳ１１８の処理が、本発明の評価取得手段、または評価取得ステップの一例である。本実施形態におけるカラオケ装置１の制御部１１により実行される楽曲再生処理のステップＳ１０６の処理が、本発明のログイン取得手段、またはログイン取得ステップの一例である。本実施形態におけるカラオケ装置１の制御部１１により実行される楽曲再生処理のステップＳ１２２の処理が、本発明の人数判断手段、または人数判断ステップの一例である。
【００６５】
本実施形態におけるカラオケ装置１の制御部１１により実行される楽曲再生処理のステップＳ１２２の処理により、ログインユーザが１人でないと判断されるときに、ステップＳ１１２の処理を実行される処理が、本発明の練習モードを制限するモード制御手段、またはモード制御ステップの一例である。本実施形態におけるカラオケ装置１の制御部１１により実行される楽曲再生処理のステップＳ１２２の処理により、ログインユーザが１人であると判断されるときに、ステップＳ１２４の処理が実行される処理が、本発明の練習モードを許可するモード制御手段、またはモード制御ステップの一例である。本実施形態におけるカラオケ装置１の制御部１１により実行される楽曲再生処理のステップＳ１３６の処理が、本発明の再生制御手段、または再生制御ステップの一例である。
【符号の説明】
【００６６】
１  カラオケ装置
３  リモコン端末
５  サーバ
１１  制御部
３１  制御部
１３１  楽曲記憶領域
１３２  評価情報記憶領域
３３１  予約情報記憶領域
３３２  ログイン情報記憶領域
５３２  ユーザ情報記憶領域
１００  楽曲再生システム
１１０  楽曲再生装置
【図１】
2015152754.tif 000003
【図２】
2015152754.tif 000004
【図３】
2015152754.tif 000005
【図４】
2015152754.tif 000006
【図５】
2015152754.tif 000007